(57)【要約】【課題】信号処理時間に揺らぎが生じる場合であっても、時分割多重により通信する複数の加入者線終端装置への帯域割当を精度よく行うことができる加入者線端局装置を提供する。【解決手段】ＯＬＴ３は、複数のＯＮＵ５を時分割多重により収容する。ＯＬＴ３の帯域割当部は、自装置におけるＯＮＵ５からの上り信号の受信開始タイミングを、他のＯＮＵ５からの上り信号の受信完了タイミングとの間に余白時間を設けるように割り当てる。また、帯域割当部は、ＯＮＵ５に割り当てる上り信号の送信開始タイミングを、当該ＯＮＵ５に割り当てた受信開始タイミング及び当該ＯＮＵ５について取得したラウンドトリップタイムの最小値を用いて決定する。【選択図】図１
2019022157.tif 000002
【特許請求の範囲】
【請求項１】
複数の加入者線終端装置と接続される加入者線端局装置であって、
当該加入者線端局装置における前記加入者線終端装置からの上り信号の受信開始タイミングを、他の前記加入者線終端装置からの上り信号の受信完了タイミングとの間に余白時間を設けるように割り当てる帯域割当部、
を備える加入者線端局装置。
【請求項２】
前記加入者線終端装置のラウンドトリップタイムの最小値を取得する取得部をさらに備え、
前記帯域割当部は、前記加入者線終端装置に割り当てる上り信号の送信開始タイミングを、当該加入者線終端装置に割り当てた前記受信開始タイミング及び当該加入者線終端装置について取得したラウンドトリップタイムの最小値を用いて決定する、
請求項１に記載の加入者線端局装置。
【請求項３】
前記取得部は、前記加入者線終端装置のラウンドトリップタイムの最大値をさらに取得し、
前記帯域割当部は、前記加入者線終端装置からの上り信号の受信開始タイミングを、他の前記加入者線終端装置からの上りデータ送信量に応じた上り信号の受信完了タイミングに、他の前記加入者線終端装置について取得した前記ラウンドトリップタイムの最大値と最小値の差分、又は、前記差分に係数を掛けた値を加えて算出する、
請求項２に記載の加入者線端局装置。
【発明の詳細な説明】
【技術分野】
【０００１】
本発明は、加入者線端局装置に関する。
【背景技術】
【０００２】
アクセスサービスの高速化に対するニーズの高まりにより、ＦＴＴＨ（Fiber To The Home）の普及が世界的に進んでいる。ＦＴＴＨサービスの大部分はＰＯＮ（Passive Optical Network）方式により提供されている。図４に示すように、ＰＯＮ方式では、１台の加入者線端局装置（ＯＬＴ：Optical Line Terminal）が時分割多重（ＴＤＭ）により複数の加入者線終端装置（ＯＮＵ：Optical Network Unit）を収容しており、経済性に優れている。日本における現在の主力システムは、伝送速度がギガビット級であるＧＥ−ＰＯＮ（Gigabit Ethernet（登録商標） PON）である。ＧＥ−ＰＯＮは、イーサネット（登録商標）通信をアクセスネットワークに適用することを目的にIEEE(米国電気電子技術者協会)802委員会で標準化された規格IEEE 802.3ah（例えば、非特許文献１参照）の中の一規格である。
【０００３】
図５は、IEEE 802.3ahのレイヤ構造を示す図である。ＯＮＵ＿ｘは、ＯＬＴと接続される複数のＯＮＵのうちのｘ番目（ｘは１以上の整数）のＯＮＵであることを示す。ＯＮＵは、ＰＨＹ（PHYsical sublayer）と呼ばれる物理層と、ＭＡＣ（Media Access Control）と呼ばれるデータリンク副層とを有する構成である。ＭＡＣは、ＭＡＣ制御副層（MAC control client）と、ＭＡＣ副層（MAC sublayer）とを有する。ＭＡＣ制御副層は、ＭＡＣ副層のリアルタイム制御及び操作を行うオプションのサブレイヤである。ＭＡＣ副層は、データのＭＡＣフレーム化（フレーム化、ＭＡＣアドレス付加、エラー検出）及び媒体アクセス（衝突検知、延期処理）を実行する。物理層は、ＭＡＣと物理層の仲介を担うＲＳ（Reconciliation sublayer）及びＧＭＩＩ（Gigabit media independent interface）を介してＭＡＣと接続される。さらに物理層は、ＰＣＳ（Physical Coding Sublayer）と呼ばれるデータを符号化する部分と、ＰＭＤ（Physical Medium Dependent）と呼ばれる物理媒体に接続する部分とを有する。ＰＣＳとＰＭＤは、ＰＭＡ（Physical Medium Attachment）により接続される。ＰＭＡは、データのシリアル化を行う。
【０００４】
ＰＯＮ方式ではディスカバリプロセス中に、ＯＬＴがそれぞれのＯＮＵとの間のＲＴＴ（Round Trip Time：フレーム往復時間）測定を行う。ＲＴＴ測定は定期的に行われ、線路条件の変化などによりズレが生じた場合には随時補正される。ＲＴＴは、図６に示すように測定される。ＯＬＴがＤｉｓｃｏｖｅｒｙ  ＧＡＴＥ信号を送信してからＲｅｇｉｓｔｅｒ  ＲＥＱ信号を受信するまでの経過時間をＴｒｅｓｐｏｎｓｅ、ＯＮＵがＤｉｓｃｏｖｅｒｙ  ＧＡＴＥ信号を受信してからＲｅｇｉｓｔｅｒ  ＲＥＱ信号を送信するまでの時間をＴｗａｉｔ、ＯＬＴからＯＮＵへの下りの伝搬遅延をＴＤｏｗｎｓｔｒｅａｍ、そして、ＯＮＵからＯＬＴへの上りの伝搬遅延をＴＵｐｓｔｒｅａｍとすると、ＲＴＴは以下の式（１）で算出される。
【０００５】
ＲＴＴ＝Ｔｒｅｓｐｏｎｓｅ−Ｔｗａｉｔ＝ＴＤｏｗｎｓｔｒｅａｍ＋ＴＵｐｓｔｒｅａｍ      …（１）
【０００６】
また、ＰＯＮ方式では、ＭＰＣＰ（Multi Point Control Protocol）というプロトコルを使用して上り信号制御を実現する。ＯＬＴは、ＧＡＴＥフレームを用いて、それぞれのＯＮＵが時間的に衝突することなく上り信号を送信できるように、送信開始時刻、送信量を各ＯＮＵに指示する。一方、ＯＮＵは、ＲＥＰＯＲＴフレームを用いて自装置のバッファに蓄積されている送信待ちのデータ量をＯＬＴに伝える。ここで、ＯＮＵからＯＬＴへの上り帯域を、トラフィック量に応じて動的に割り当てる機能を動的帯域割当て（ＤＢＡ：Dynamic Bandwidth Allocation）機能と呼ぶ。ＯＬＴが、短いＤＢＡ周期で複数ＯＮＵの帯域要求を収集して割当帯域を切替えることで、多くのＯＮＵに無駄なく帯域を割り当てることができ、上りデータの送信待ち時間を短くすることができる。
【０００７】
ＤＢＡ機能では、ＯＬＴは、測定したＲＴＴを補うために、それぞれのＯＮＵの上り信号の送信開始時刻Ｔｇｒａｎｔｅｄを計算する。図７は、従来のＧＥ−ＰＯＮシステムにおけるＤＢＡの計算を説明するための図である。なお、以下では、ＯＬＴにおける時刻を基準にして、受信や送信などに関する各タイミングの時刻を表す。ｘ番目（ｘは１以上の整数）のＯＮＵをＯＮＵ♯ｘとすると、ＯＮＵ♯ｘの上り信号の送信開始時刻Ｔｇｒａｎｔｅｄ_ｘは、ＯＬＴにおけるＯＮＵ♯ｘからの上り信号の受信開始時刻Ｔｄｅｓｉｒｅｄ_ｘと、ＯＮＵ♯ｘのラウンドトリップタイムＲＴＴｘとを用いて、以下の式（２）で表される。
【０００８】
Ｔｇｒａｎｔｅｄ_ｘ＝Ｔｄｅｓｉｒｅｄ_ｘ−ＲＴＴｘ      …（２）
【０００９】
一方で、ユーザトラフィック要求の増大から、光アクセスネットワークの益々の大容量化・経済化が求められている。その実現に向け、デジタル信号処理（ＤＳＰ：Digital Signal Processing）技術をＰＯＮシステムに適用したＤＳＰ−ＰＯＮ方式が注目され、研究開発・実用化が活発化している。ＤＳＰ−ＰＯＮシステムでは、ＯＬＴ及びＯＮＵの両方にＤＳＰ処理部を備える構成でもよく、いずれか片方にＤＳＰ処理部を備える構成でもよい。
【００１０】
ＤＳＰ−ＰＯＮ方式におけるＲＴＴは、ＯＬＴ及びＯＮＵ内のＤＳＰ処理にかかる時間が追加されるため、図８のように測定され、式（３）で表される。ＯＬＴ内送信器のＤＳＰ処理遅延をＴＯＬＴ−Ｔｘ−ＤＳＰ、下りの伝搬遅延をＴＤｏｗｎｓｔｒｅａｍ、ＯＮＵ内受信器のＤＳＰ処理遅延をＴＯＮＵ−Ｒｘ−ＤＳＰ、ＯＮＵ内送信器のＤＳＰ処理遅延をＴＯＮＵ−Ｔｘ−ＤＳＰ、上りの伝搬遅延をＴＵｐｓｔｒｅａｍ、そしてＯＬＴ内受信器のＤＳＰ処理遅延をＴＯＬＴ−Ｒｘ−ＤＳＰとする。
【００１１】
ＲＴＴ＝Ｔｒｅｓｐｏｎｓｅ−Ｔｗａｉｔ
＝ＴＯＬＴ−Ｔｘ−ＤＳＰ＋ＴＤｏｗｎｓｔｒｅａｍ＋ＴＯＮＵ−Ｒｘ−ＤＳＰ＋ＴＯＮＵ−Ｔｘ−ＤＳＰ＋ＴＵｐｓｔｒｅａｍ＋ＴＯＬＴ−Ｒｘ−ＤＳＰ      …（３）
【先行技術文献】
【非特許文献】
【００１２】
【非特許文献１】IEEE Standard 802.3ah，2004年
【発明の概要】
【発明が解決しようとする課題】
【００１３】
ＤＳＰ技術をＰＯＮシステムに適用したＤＳＰ−ＰＯＮ方式では、ＤＳＰの処理時間が変動することが懸念される。例えば、ＯＦＤＭ（Orthogonal Frequency Division Multiplexing：直交周波数分割多重）技術を用いる場合は、ＯＦＤＭ信号がシンボル長Ｔの間隔で伝送されるため、ＯＦＤＭシンボル長だけＤＳＰ処理遅延が変動する。更に、ＯＮＵにトラフィックがバースト的に入力されると、１周期で受信トラフィックをＯＬＴに送ることができず、数周期にわたって送ることになる。そのため、ＯＦＤＭシンボル長Ｔの数倍の遅延が発生し、ＯＦＤＭシンボル長の数倍だけ処理遅延が変動する。
【００１４】
このようにＤＳＰの処理時間が変動することでＲＴＴが変動するため、ＤＢＡ機能において、それぞれのＯＮＵについて測定したＲＴＴを用いて送信開始時刻Ｔｇｒａｎｔｅｄを計算した場合、図９に示すように、複数のＯＮＵからの上りバースト光信号の衝突を引き起こすことがあるという課題が生じる。例えば、ＯＮＵ＃３のラウンドトリップタイムＲＴＴ３は、最小値ＲＴＴ３＿ｍｉｎからＲＴＴ３＿ｍａｘの間で変動する。そのため、ある時点で測定したＲＴＴ３を使用して、送信開始時刻Ｔｇｒａｎｔｅｄ＿３を式（２）により算出した場合、ＲＴＴ３の揺らぎにより、ＯＮＵ＃３の前後で他のＯＮＵが送信した上りバースト光信号とのフレーム衝突が発生することがある。
【００１５】
上記事情に鑑み、本発明は、信号処理時間に揺らぎが生じる場合であっても、時分割多重により通信する複数の加入者線終端装置への帯域割当を精度よく行うことができる加入者線端局装置を提供することを目的としている。
【課題を解決するための手段】
【００１６】
本発明の一態様は、複数の加入者線終端装置と接続される加入者線端局装置であって、当該加入者線端局装置における前記加入者線終端装置からの上り信号の受信開始タイミングを、他の前記加入者線終端装置からの上り信号の受信完了タイミングとの間に余白時間を設けるように割り当てる帯域割当部、を備える。
【００１７】
本発明の一態様は、上述の加入者線端局装置であって、前記加入者線終端装置のラウンドトリップタイムの最小値を取得する取得部をさらに備え、前記帯域割当部は、前記加入者線終端装置に割り当てる上り信号の送信開始タイミングを、当該加入者線終端装置に割り当てた前記受信開始タイミング及び当該加入者線終端装置について取得した前記ラウンドトリップタイムの最小値を用いて決定する。
【００１８】
本発明の一態様は、上述の加入者線端局装置であって、前記取得部は、前記加入者線終端装置のラウンドトリップタイムの最大値を取得し、前記帯域割当部は、前記加入者線終端装置からの上り信号の受信開始タイミングを、他の前記加入者線終端装置からの上りデータ送信量に応じた上り信号の受信完了タイミングに、他の前記加入者線終端装置について取得した前記ラウンドトリップタイムの最大値と最小値の差分、又は、前記差分に係数を掛けた値を加えて算出する。
【発明の効果】
【００１９】
本発明により、信号処理時間に揺らぎが生じる場合であっても、時分割多重により通信する複数の加入者線終端装置への帯域割当を精度よく行うことが可能となる。
【図面の簡単な説明】
【００２０】
【図１】本発明の一実施形態によるＤＳＰ−ＰＯＮシステムの構成図である。
【図２】同実施形態によるＤＳＰ−ＰＯＮシステムのレイヤ構造を示す図である。
【図３】同実施形態によるＤＢＡの計算を説明するための図である。
【図４】従来のＰＯＮシステムの構成図である。
【図５】従来のＧＥ−ＰＯＮシステムのレイヤ構造を示す図である。
【図６】従来のＧＥ−ＰＯＮシステムにおけるラウンドトリップタイムを示す図である。
【図７】従来のＧＥ−ＰＯＮシステムにおけるＤＢＡの計算を説明するための図である。
【図８】ＤＳＰ−ＰＯＮシステムにおけるラウンドトリップタイムを示す図である。
【図９】ＤＳＰ−ＰＯＮシステムにおける上り信号のフレーム衝突を示す図である。
【発明を実施するための形態】
【００２１】
以下、図面を参照しながら本発明の実施形態を詳細に説明する。
図１は、本発明の一実施形態によるＤＳＰ−ＰＯＮシステム１の構成図である。ＤＳＰ−ＰＯＮシステム１は、１台のＯＬＴ（加入者線端局装置）３が、時分割多重（ＴＤＭ）により複数台のＯＮＵ（加入者線終端装置）５を収容する構成である。ＯＬＴ３から１本の光ファイバにより送信される下り光信号は、光スプリッタにより複数のＯＮＵ５それぞれと接続される光ファイバに分配される。また、時分割で複数のＯＮＵ５それぞれから光ファイバにより送信される上り光信号は、光スプリッタにより合波されて１本の光ファイバによりＯＬＴ３に送信される。
【００２２】
ＯＬＴ３は、ＰＨＹ（PHYsical sublayer）と呼ばれる物理層３１と、データリンク副層のＭＡＣ（Media Access Control）３２とを備える。ＯＬＴ３の物理層３１は、ＤＳＰ処理部３１１を備える。同様に、ＯＮＵ５は、ＰＨＹと呼ばれる物理層５１と、データリンク副層のＭＡＣ５２とを備える。ＯＮＵ５の物理層５１は、ＤＳＰ処理部５１１を備える。ＤＳＰ処理部３１１及びＤＳＰ処理部５１１は、ＤＳＰによる信号処理を行う。同図では、ＯＬＴ３とＯＮＵ５の両方にＤＳＰ処理部を備えているが、いずれか一方のみにＤＳＰ処理部を備える構成でもよい。
【００２３】
図２は、ＤＳＰ−ＰＯＮシステム１のレイヤ構造を示す図である。
ＯＬＴ３の物理層３１（ＰＨＹ）は、ＰＭＤにＤＳＰ処理部３１１及びＡＤＣ（Digital to Analog Converter）／ＤＡＣ（Analog to Digital Converter）３１２を設けている点を除き、図５に示す従来技術のＯＬＴの物理層と同様の構成である。同様に、ＯＮＵ５の物理層５１は、ＰＭＤにＤＳＰ処理部５１１及びＡＤＣ／ＤＡＣ５１２を設けている点を除き、図５に示す従来技術のＯＮＵの物理層と同様の構成である。
【００２４】
ＯＬＴ３からＯＮＵ５へ信号を送信する場合、ＯＬＴ３の物理層３１内のＰＭＤにおいては、ＤＳＰ処理部３１１がデジタル信号処理した送信信号を、ＡＤＣ／ＤＡＣ３１２のＤＡＣがアナログ信号に変換し、送信器（Ｔｘ：Transmitter）に入力する。ＯＮＵ５の物理層５１内のＰＭＤにおいては、受信器（Ｒｘ：Receiver）がＯＬＴ３から受信したアナログ信号を、ＡＤＣ／ＤＡＣ５１２のＡＤＣがデジタル信号に変換し、ＤＳＰ処理部５１１がデジタル信号処理を行う。
【００２５】
ＯＮＵ５からＯＬＴ３へ信号を送信する場合、ＯＮＵ５のＰＭＤにおいては、ＤＳＰ処理部５１１がデジタル信号処理した送信信号を、ＡＤＣ／ＤＡＣ５１２のＤＡＣがアナログ信号に変換し、送信器（Ｔｘ）に入力する。ＯＬＴ３のＰＭＤにおいては、受信器（Ｒｘ）がＯＮＵ５から受信したアナログ信号を、ＡＤＣ／ＤＡＣ３１２のＡＤＣがデジタル信号に変換し、ＤＳＰ処理部３１１がデジタル信号処理を行う。
【００２６】
ＯＬＴ３のＭＡＣ３２及びＯＮＵ５のＭＡＣ５２はそれぞれ、図５に示す従来技術のＯＬＴのＭＡＣ及びＯＮＵのＭＡＣと同様の構成である。ただし、ＭＡＣ３２のＭＡＣ制御副層（MAC control client）３２１が各ＯＮＵ５への帯域割当を行う処理において、各ＯＮＵ５に対して複数回のＲＴＴ測定を行って得られたＲＴＴ（フレーム往復時間）の最小値及び最大値を使用する点が異なる。
【００２７】
ＭＡＣ制御副層３２１のディスカバリ処理部（Discovery process）３２１１は、従来技術と同様に、ＯＬＴ３に接続されているＯＮＵ５を発見するためのディスカバリプロセスの実行を制御し、そのプロセス中にＲＴＴ測定を行う。例えば、ディスカバリ処理部３２１１は、ＯＬＴ３との接続が確認されたＯＮＵ５に対してＲＴＴ測定用信号の送信要求を送信し、ＯＮＵ５から返送された応答に設定されている応答送信時刻、ＯＬＴ３におけるその応答の受信時刻、ＯＬＴ３及びＯＮＵ５のクロックのずれ等の情報に基づいてＲＴＴを取得する。ＭＡＣ制御副層３２１のレポート処理部（Reporting process）３２１２は、各ＯＮＵ５に上り信号を送信するための帯域を割り当てる帯域割当を行う。帯域割当では、各ＯＮＵ５の送信開始時刻と、送信を許可する上りデータ量とを決定する。
【００２８】
続いて、ＤＳＰ−ＰＯＮシステム１の処理について説明する。
ＤＳＰ−ＰＯＮシステム１は、ＯＬＴ３とＯＮＵ５の間でＲＴＴ測定を定期的に行う。ＯＬＴ３のディスカバリ処理部３２１１は、ＯＮＵ５ごとに、複数回ＲＴＴ測定を行って取得したＲＴＴの最大値と最小値を得る。ｘ番目（ｘは１以上の整数）のＯＮＵ５であるＯＮＵ♯ｘについて取得したＲＴＴの最小値及び最大値をそれぞれ、ＲＴＴｘ_ｍｉｎ及びＲＴＴｘ_ｍａｘとする。ディスカバリ処理部３２１１は、各ＯＮＵ＃ｘについて得られたＲＴＴｘ_ｍｉｎ、及び、ＲＴＴｘ_ｍａｘをレポート処理部３２１２に出力する。
【００２９】
図３は、ＯＮＵ５におけるＤＢＡの計算を説明するための図である。なお、同図では、ＯＬＴ３における時刻を基準にして、受信や送信などに関する各タイミングの時刻を表している。
ＯＬＴ３のレポート処理部３２１２は、各ＯＮＵ５から通知された送信データ量と、ディスカバリ処理部３２１１から受信した各ＯＮＵ＃ｘのＲＴＴｘ_ｍｉｎ及びＲＴＴｘ_ｍａｘとを用いて、ＤＳＰ−ＰＯＮシステム１のＤＢＡ機能を実行する。このＤＢＡ機能において、レポート処理部３２１２は、各ＯＮＵ＃ｘにおける上り信号（上りバースト光信号）の送信開始時刻Ｔｇｒａｎｔｅｄ＿ｘを、ＯＬＴ３におけるＯＮＵ♯ｘからの上り信号の受信開始時刻Ｔｄｅｓｉｒｅｄ_ｘと、ＯＮＵ♯ｘのラウンドトリップタイムの最小値ＲＴＴｘ_ｍｉｎとを用いて、以下の式（４）により算出する。
【００３０】
Ｔｇｒａｎｔｅｄ_ｘ＝Ｔｄｅｓｉｒｅｄ_ｘ−ＲＴＴｘ_ｍｉｎ      …(４)
【００３１】
レポート処理部３２１２は、式（４）において用いられるＯＮＵ♯ｘからの上り信号の受信開始時刻Ｔｄｅｓｉｒｅｄ_ｘを、以下のように算出する。ＯＮＵ＃ｘの前に上り信号を送信する他のＯＮＵ５をＯＮＵ＃ｙ（ｙ≠ｘ、ｙは１以上の整数）とする。レポート処理部３２１２は、ＯＮＵ♯ｘからの上り信号の受信開始時刻Ｔｄｅｓｉｒｅｄ_ｘを、ＯＮＵ＃ｙからの上り信号の受信完了時刻Ｔｅｎｄ＿ｙに、余白時間を加えて算出する。余白時間は、ＯＮＵ＃ｙのラウンドトリップタイムの最大値ＲＴＴｙ_ｍａｘと最小値ＲＴＴｙ_ｍｉｎとの差分ｄｙ（＝ＲＴＴｙ_ｍａｘ−ＲＴＴｙ_ｍｉｎ）、又は、この差分ｄｙに所定の係数を乗算した値である。レポート処理部３２１２は、ＯＮＵ＃ｙからの上り信号の受信完了時刻Ｔｅｎｄ＿ｙを、ＯＮＵ＃ｙからの上り信号の受信開始時刻Ｔｄｅｓｉｒｅｄ_ｙに、ＯＮＵ＃ｙに許可した上りデータ量の送信にかかる時間を加えて算出する。例えば、上りデータ量は、データ送信の単位時間であるタイムスロットの数に変換可能である。そのため、受信開始時刻に応じたタイムスロットに、上りデータ量に応じたタイムスロット数を加算して得られたタイムスロットの位置が、受信完了時刻を表す。
【００３２】
ＯＬＴ３が、ＯＮＵ＃ｘに送信開始時刻Ｔｇｒａｎｔｅｄ＿ｘを指示するときには、ＯＬＴ３とＯＮＵ＃ｘの間の時刻のズレや伝搬遅延等を考慮して、ＯＮＵ＃ｘにおける送信開始時刻Ｔｇｒａｎｔｅｄ＿ｘを表すタイミングの情報を通知する。
【００３３】
なお、ＤＳＰ−ＰＯＮシステム１がＲＴＴ測定を行うプロセスは、ディスカバリプロセスに限らない。ディスカバリプロセス以外で行うＲＴＴ測定は、ＯＬＴ３のディスカバリ処理部３２１１が実行してもよく、レポート処理部３２１２が実行してもよく、ＭＡＣ制御副層３２１内の図示しない機能部が実行してもよい。例えば、ディスカバリプロセスでは、ＯＮＵ５がＯＬＴ３へ送信するＲＥＧＩＳＴＥＲ  ＲＥＱメッセージに設定したタイムスタンプを用いてＲＴＴ測定を行い、その後は、ＯＮＵ５がＯＬＴ３へ定期的に送信するＲＥＰＯＲＴメッセージに設定したタイムスタンプを用いてＲＴＴ測定を行うことができる。
【００３４】
上述した実施形態によれば、加入者線端局装置は、時分割多重により複数の加入者線終端装置を収容する。例えば、加入者線端局装置はＯＬＴ３であり、加入者線終端装置はＯＮＵ５である。加入者線端局装置は、当該加入者線端局装置における加入者線終端装置からの上り信号の受信開始タイミングを、他の加入者線終端装置からの上り信号の受信完了タイミングとの間に余白時間を設けるように割り当てる帯域割当部、を備える。帯域割当部は、例えば、レポート処理部３２１２である。
【００３５】
加入者線端局装置は、加入者線終端装置のラウンドトリップタイムの最小値及び最大値を取得する取得部をさらに備える。取得部は、例えば、ディスカバリ処理部３２１１である。帯域割当部は、加入者線終端装置に割り当てる上り信号の送信開始タイミングを、当該加入者線終端装置に割り当てた受信開始タイミング及び当該加入者線終端装置について取得したラウンドトリップタイムの最小値を用いて決定する。
【００３６】
また、帯域割当部は、加入者線終端装置からの上り信号の受信開始タイミングを、他の加入者線終端装置からの上りデータ送信量に応じた上り信号の受信完了タイミングに、他の加入者線終端装置について取得したラウンドトリップタイムの最大値と最小値の差分、又は、その差分に係数を掛けた値を加えて算出する。
【００３７】
デジタル処理を利用するＰＯＮでは、従来のＤＳＰ処理を行わない方式と比べてＤＳＰ演算時間分だけタイムラグが生じる。このタイムラグは変動があるため、ＯＬＴからＯＮＵへのタイミング制御に時間的ずれが生じ、従来と同様の帯域割当を行った場合は、ＯＮＵからＯＬＴ向けの上り信号の衝突等による遅延が生じてしまう。そこで、上述した実施形態のように、ＯＬＴ３において、ＤＳＰ処理遅延の変動を吸収するように、それぞれのＯＮＵ５からの上り信号の受信開始時刻及びＯＮＵ５の上り信号の送信開始時刻を決定することで、ラウンドトリップタイムが揺らいだ場合も、複数のＯＮＵ５からの上りバースト光信号の衝突を防ぐことができる。従って、ＤＳＰ処理遅延に関わらず、ＯＬＴ３からＯＮＵ５への帯域割当の精度を維持できる。これにより、ＤＳＰによるデジタル信号処理化によるＯＬＴの大容量化も可能となる。
【００３８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３９】
ＴＤＭＡ（時分割多重アクセス）により通信する装置に利用可能である。
【符号の説明】
【００４０】
１…ＤＳＰ−ＰＯＮシステム，  ３…ＯＬＴ，  ５…ＯＮＵ，  ３１…物理層，  ３２…ＭＡＣ，  ５１…物理層，  ５２…ＭＡＣ，  ３１１…ＤＳＰ処理部，  ３１２…ＡＤＣ／ＤＡＣ，  ３２１…ＭＡＣ制御副層，  ３２１１…ディスカバリ処理部，  ３２１２…レポート処理部，  ５１１…ＤＳＰ処理部，  ５１２…ＡＤＣ／ＤＡＣ
【図１】
2019022157.tif 000003
【図２】
2019022157.tif 000004
【図３】
2019022157.tif 000005
【図４】
2019022157.tif 000006
【図５】
2019022157.tif 000007
【図６】
2019022157.tif 000008
【図７】
2019022157.tif 000009
【図８】
2019022157.tif 000010
【図９】
2019022157.tif 000011